(57)【要約】【課題】指向性の強い発光ダイオードなどの複数の光源からの反射光を効果的に平行光線として揃える。【解決手段】  光反射特性を具えた導光フード１１０及びの指向性光源２０，２０aを具え、導光フードは底部１１１上にフレネル状構造３０，３０aからなる反射面３１，３１aを具える。フレネル状構造はフレネルレンズの原理を応用して幾何反射面を等価反射面に転換した構造であって、発光ダイオードなどの指向性の強い光源からの光を光軸Lcに平行な反射光L２、L2aとして出射口１１２から投射する。【選択図】図７
2007250516.tif 000002
【特許請求の範囲】
【請求項１】
導光フード及び指向性光源からなる反射式投光装置であって、
該導光フードは、底部及びこれに対抗する出射口、及び出射口を囲む側壁を設けると共に、該底部にフレネル状構造からなる反射面を設け、
上記指向性光源をその発光方向が該フレネル状構造からなる反射面に対して一定の角度で反射して該出射口から発射されるように上記側壁に配置したこと、
を特徴とする反射式投光装置。
【請求項２】
上記指向性光源が複数であってその発光方向と上記フレネル状構造の反射面との相対的角度がそれぞれ異なること、
を特徴とする請求項１記載の反射式投光装置。
【請求項３】
上記指向性光源として複数の発光角度が異なる光源からなり、複数の異なる構造のフレネル状構造の反射面を設け、複数の異なる角度の反射光として該導光フードから発射することを特徴とする請求項１記載の反射式投光装置。
【請求項４】
該導光フードは、光反射特性を具えた材質で構成したことを特徴とする請求項１記載の反射式投光装置。
【請求項５】
該導光フードの内壁に光反射層を設けて成ることを特徴とする請求項１記載の反射式投光装置。
【請求項６】
該光反射層は、反射型の拡散フィルムであることを特徴とする請求項５記載の反射式投光装置。
【請求項７】
該光反射層は、アルミまたは無電解ニッケルメッキなどの金属性皮膜によって形成したことを特徴とする請求項５記載の反射式投光装置。
【請求項８】
該フレネル状構造の反射面は、平面であることを特徴とする請求項１記載の反射式投光装置。
【請求項９】
該フレネル状構造の反射面は、曲面であることを特徴とする請求項１記載の反射式投光装置。
【請求項１０】
該フレネル状構造の反射面は、平面と曲面の組合せであることを特徴とする請求項１記載の反射式投光装置。
【請求項１１】
該フレネル状構造の反射面は、中心を取り巻くように設置したことを特徴とする請求項１記載の反射式投光装置。
【請求項１２】
該フレネル状構造の反射面は、左右対称に設置したことを特徴とする請求項１記載の反射式投光装置。
【請求項１３】
該フレネル状構造の反射面は、平行に延長して設置したことを特徴とする請求項１記載の反射式投光装置。
【請求項１４】
該反射面の垂直断面は、左右対称の斜面とし、該斜面上に該フレネル状構造の反射面を設けたことを特徴とする請求項１記載の反射式投光装置。
【請求項１５】
該反射面の垂直断面は、左右対称の曲面とし、該斜面上に該フレネル状構造の反射面を設けたことを特徴とする請求項１記載の反射式投光装置。
【請求項１６】
該反射面の垂直断面は、左右対称の斜面と曲面の組合せとし、該斜面または曲面上に該フレネル状構造の反射面を設けたことを特徴とする請求項１記載の反射式投光装置。
【請求項１７】
該指向性光源は、発光ダイオード（Ｌｉｇｈｔ  Ｅｍｉｔｔｉｎｇ  Ｄｉｏｄｅ、ＬＥＤ）であることを特徴とする請求項１記載の反射式投光装置。
【請求項１８】
該側壁は、該底部の周囲を囲んで設置し、該導光フードが多辺形の外周を具えるようにしたことを特徴とする請求項１記載の反射式投光装置。
【請求項１９】
該側壁は、該底部の周囲を囲んで設置する閉じた環状体とし、該導光フードが円柱形外形を具えるようにしたことを特徴とする請求項１記載の反射式投光装置。
【請求項２０】
該導光フードは、複数の側壁を設けて複数の出射口を形成するようにしたことを特徴とする請求項１記載の反射式投光装置。
【発明の詳細な説明】
【技術分野】
【０００１】
本発明は、反射式投光装置に関し、特にフレネルレンズの原理を採用し、幾何反射曲面を等価反射面とし、発光角度を制御した光源を組合せて、高効率及び高直進性平行光線を形成できる投光装置に関する。
【背景技術】
【０００２】
旧来の照明機器の光源は、点光源と線光源の二種に大別でき、タングステンランプと電球型蛍光灯は点光源に属し、蛍光管は線光源に属する。この二種は発光時に放射状に外向きに光線を発射する。欠点は体積が大きいことである。発光ダイオード（Ｌｉｇｈｔ  Ｅｍｉｔｔｉｎｇ  Ｄｉｏｄｅ、ＬＥＤ）は小体積であるという主要な長所をもち、近年照明機器への応用が続々と開発され、発光効率の向上により、発光ダイオード照明機器は未来の主要照明具となる趨勢である。発光ダイオードは平面光源に属し、発光角度が限られるため、一般に発光ダイオード照明機器は直下式または反射式発光を採用している。また、現在発光ダイオード一個の輝度では照明機器として不十分なため、多数個の発光ダイオードを使用して充分な輝度を提供している。
【０００３】
図１に示すように、特許文献１の米国特許６５０２９５６号「Ｌｉｇｈｔ  ｅｍｉｔｔｉｎｇ  ｄｉｏｄｅ  ｌａｍｐ  ｗｉｔｈ  ｉｎｄｉｖｉｄｕａｌ  ＬＥＤ  ｌｅｎｓｅｓ」において、直下式照明機器を提出している。回路基板１０上に複数個の発光ダイオード１４を設置している。この構造では出射効率は向上できるが、非常にまぶしく、目に不快感を与えてしまう。更に、一個または一部の発光ダイオード１４が損傷すると、見た目に分かってしまう。
【特許文献１】米国特許第６，５０２，９５６号明細書
【０００４】
図２に示すように、特許文献２の米国特許６８７１９９３号「Ｉｎｔｅｇｒａｔｉｎｇ  ＬＥＤ  ｉｌｌｕｍｉｎａｔｉｏｎ  ｓｙｓｔｅｍ  ｆｏｒ  ｍａｃｈｉｎｅ  ｖｉｓｉｏｎ  ｓｙｓｔｅｍｓ」において、読み取り機器に使用する照明システムを提出し、バーコード走査システムとしている。商店で使用する価格バーコード・リーダなどの動作原理は発光ダイオードが発射した光線を目標物に照射し、読み取り機器が反射したイメージデータを収集する。図２に示すように、システム１０は、リフレクタ１２と発光ダイオードアレイ１４を具え、リフレクタ１２は楕円、放物線、双曲線とすることができる集光反射表面１３を具え、発光ダイオードアレイ１４は基台２６と基台２６に設置した複数個の発光ダイオード１６を具え、発光ダイオード１６はリフレクタ１２の焦点エリア内部に位置し且つ集光反射表面１３に向って照射する。この特許の主な作用はアレイの複数個の発光ダイオード１６が集光光束を形成するようにすることであり、応用範囲は走査システムに限られ、照明機器には適さない。
【特許文献２】米国特許第６，８７１，９９３号明細書
【０００５】
図３に示すように、特許文献３の米国特許５１３６４８３号「Ｉｌｌｕｍｉｎａｔｉｎｇ  ｄｅｖｉｃｅ」では、車両用照明器具を提案している。反射層１６を具え、反射層１６内部の環状側壁に複数個の発光ダイオード１４を平らに配置し、放熱フィン１９を具える。発光ダイオード１４が発射する光線は反射層１６の曲面底部の反射によって平行光線とされる。発光ダイオード１４は、反射層１６内部の側壁に平らに配置してあるため、発光角度の一部分だけが反射層１６の反射で平行光線となるだけで、他の発光角度の範囲の光線は、必要でない光線角度で反射層１６から拡散し、それ以外の光線は反射層１６内部で何度も反射し出射されない。そのため、出射効率がよくないうえ、高直進性の平行光線を形成できない。上述の問題は反射層１６の設計で改善することができるが、製造上難度が非常に高く、改善の余地も大きくない。
【特許文献３】米国特許第５，１３６，４８３号明細書
【０００６】
図４に示すように、特許文献４の米国特許５８３８２４７号「Ｓｏｌｉｄ  ｓｔａｔｅ  ｌｉｇｈｔ  ｓｙｓｔｅｍ」で提案している灯具４０は、傾斜して設置した複数の発光ダイオード１２、傾斜角度Ａの反射機構４４を具えて構成している。反射機構４４は円錐状または角錐状とすることができ、発光ダイオード１２と反射機構４４の両者の角度を調整することによって、軸方向３６に平行な反射光を形成でき、これにより出射効率を向上させている。しかし反射機構４４は平面であるため、発光ダイオード１２の発光角度と精密に対応することができないため、すべての反射光を完全に軸方向３６と平行に発射することはできない。更に、反射機構４４の傾斜に対応させるため、大量の発光ダイオード１２を設置しなければならず、コストが増大し、エネルギーを浪費するだけでなく、灯具の体積が大きくなり、灯具の外形も固定して変化させられない。
【特許文献４】米国特許第５，８３，２４７号明細書
【特許文献５】特開２００４−２１４１４４号公報
【発明の開示】
【発明が解決しようとする課題】
【０００７】
本発明は、反射式投光装置を提供し、幾何反射面を等価反射面に転換し、更に発光角度を制御した光源を組み合わせて、高効率で高直進性の平行光線を産出できるようにすることを課題とする。
【０００８】
本発明はまた、反射式投光装置を提供し、光の出射効率を向上させることを課題とする。
【０００９】
本発明は更に、反射式投光装置を提供し、その反射導光フードの外形は制限されず変化性を具えるようにすることを課題とする。
【００１０】
本発明はまた、反射式投光装置を提出し、眩光を与えないようにすることを課題とする。
【課題を解決するための手段】
【００１１】
上述の課題を達成するために、本発明は反射式投光装置を提供し、導光フードを具えてフレネル状構造の反射面を具え、少なくとも一つの光源を具えてその発光方向は前述の反射面のフレネル状構造と一定の対応角度を形成し、反射光を一定の角度で導光フードから射出できるようにする。この対応角度は光の反射原理に基づき、即ち光の投射角度が光の反射角度と等しい原理で設計し、光源の光がフレネル構造に投射する角度を指す。例えば等価放物面のフレネル構造で実施した場合、光源を等価放物面のフレネル放物面の焦点距離に配置し、光源の投射対応角度を調整することによって、光がフレネル構造に投射するようにし、反射光が平行に出力される目的を達成する。
【００１２】
より好ましくは、複数の光源がそれぞれ反射面のフレネル状構造と異なる対応角度を形成するようにして、少なくとも一種の角度の反射光を導光フードから射出できるようにする。
より好ましくは、導光フードは反射特性を具えた材質で構成する。
より好ましくは、導光フードの内側壁に反射層を設ける。
より好ましくは、その反射層はアルミまたは無電解ニッケルなどの金属性皮膜で形成する。
より好ましくは、フレネル状構造を平面とする。
より好ましくは、フレネル状構造を曲面とする。
より好ましくは、フレネル状構造は平面と曲面の組合せとする。
より好ましくは、フレネル状構造は一中心をとりまく形態で設置する。
より好ましくは、フレネル状構造は左右対称に設置する。
より好ましくは、フレネル状構造は平行に延伸して設置する。
より好ましくは、反射面の垂直断面が左右対称の斜面となるようにし、斜面上にフレネル状構造を設ける。
より好ましくは、反射面の垂直断面が左右対称の曲面となるようにし、曲面上にフレネル状構造を設ける。
より好ましくは、反射面の垂直断面が左右対称の斜面及び曲面の組合せとなるようにし、斜面または曲面上にフレネル状構造を設ける。
より好ましくは、光源は指向性光源とする。
より好ましくは、光源を発光ダイオードとする。
【００１３】
より好ましくは、導光フードは底部を含んでフレネル状構造を具えた反射面を設置できるようにし、少なくとも一つの側壁を含んで前述の底部の側辺に設置し、側壁に光源を設置できるようにする。
より好ましくは、側壁は底部周囲をとりまいて設置し、導光フードが多辺形の外周を具えるようにする。
より好ましくは、側壁は底部周囲をとりまいて設置して閉じた環状体にし、導光フードが円柱形の外形を具えるようにする。
【発明の効果】
【００１４】
本発明は光源の発光角度とフレネル状構造を対応させた光発射方式により、以下の長所を具える。
1．光源が発する光線はすべて導光フードが具えるフレネル状構造によって反射する      ことができ、高直進性の平行光線を産出することができる。
2．光源が発する光線はすべて導光フードが具えるフレネル状構造によって反射する      ことができ、光の良好な出射効率を具える。
3．導光フードの外形の変化は弾力的である。
4．眩光の産出を防止できる。
5．灯具の体積を縮小できる。
【発明を実施するための最良の形態】
【００１５】
図５に示すように、本発明が提供する反射式投光装置は、導光フード１０及び少なくとも一つの光源２０を含み、導光フード１０は光反射特性を具えた材質で構成する。導光フード１０の内側壁に反射層を設置して（図中未表示）、光の反射率を向上させてもよい。反射層の材質は公知の平面ディスプレイに応用される反射性拡散フィルムを採用してもよく、或いは、アルミまたは無電解ニッケルメッキなど金属性皮膜を形成してもよい。光源２０は、発光ダイオードなどの一定の発光角度を具えた指向性光源を採用するとよい。導光フード１０は、底部１１と少なくとも一つの出射口１２を具える。本発明の特徴は、導光フード１０の底部１１にフレネル状構造３０を形成し、フレネル状構造３０は複数の反射面３１で構成し、のこぎり状を呈する。反射面３１は、平面としてもよく、カーブのある曲面としてもよく、各反射面３１は異なる角度の平面または異なるカーブの曲面を具えるようにすることができる。光源２０をある角度θ傾斜させて出射口１２外周の導光フード１０の側壁１３上縁に設置し、光源２０が一定の発光角度を具えるようにして、光源２０からフレネル状構造３０上に投射する発光Ｌ１が軸方向Ｌｃ（図７）と完全に平行な反射光Ｌ２を形成して導光フード１０から発射されるようにして、最良の光発射効率を達成する。
【００１６】
前述の光源２０とフレネル状構造３０の各反射面３１の対応角度は、光の反射原理に基づき、即ち光の投射角度が反射角度と等しい原理に基づいて設計する。更に、図６に示すように、主軸に平行な近軸光線（ｐａｒａｘｉａｌ  ｒａｙｓ）Ｒａが凹面放物面鏡Ｐａに入射した場合、反射すると必ず焦点Ｆを通過する。言い換えれば、主軸に平行な光はすべて焦点上に集まり、上述の原理により、放物面鏡の曲率を切り取って、Ｍａｔｌａｂ（Ｍａｔｒｉｘ  Ｌａｂｏｒａｔｏｒｙ：登録商標）数値解析ソフトウェアを用いてこれを等価平板プリズムに転換すると、本発明のフレネル構造となる。その形態は、図５に示すフレネル状構造３０に参照するとおりである。これにより、等価放物面のフレネル構造とするとき、光源２０をフレネル状構造３０の放物面を呈した反射面３１の焦点を通る直線上に置いて光源２０の投射対応角度を調整し、光源２０から光が反射面３１上に投射されるようにして、反射光の平行な出力を達成することができる。
【００１７】
光源２０の設置位置は、出射口１２の位置とフレネル状構造３０の構造によって決まり、図に示す導光フード１０の側壁１３上縁に限らず、また、導光フード１０の構造も光源２０とフレネル状構造３０の設置位置を変えることにより異なってくる。ここで示した導光フード１０の構造は、その一例である。
【００１８】
フレネルレンズの構造を簡単に説明すると、一種の平凸レンズまたは平凹レンズの集光または光線拡散透過性のある光学部材であり、表面にのこぎり状の輪帯を形成する。その原理は、従来の球面または非球面鏡の曲面をたくさんの輪帯に分割し、各輪帯を同一平面状に写して形成する。これらの帯状構造を光軸に沿って平行移動すると、平面上に平行なのこぎりの列を形成することができる。最大の長所は、良好な集光能力を具えることであり、そのため広く光学機器に応用されている。本発明は上述のフレネルレンズの集光原理から「フレネル状構造」を発展させ、発光ダイオードの発光角度に対応させることによって、発光ダイオード灯具に応用し、発光ダイオード灯具の光発射効率を向上させることができる。
【００１９】
図５に示す反射原理をもとに、図７に示す構造を派生させることができる。導光フード１１０は底部１１１と出射口１１２を具え、軸方向Ｌｃを中心軸とし、フレネル状構造３０、３０ａと光源２０、２０ａを設置し、軸方向Ｌｃ右側の光源２０とフレネル状構造３０の対応関係は図５に示す実施例と同様とし、軸方向Ｌｃに平行な反射光Ｌ２とすることができる。光源２０ａとフレネル状構造３０ａの反射面３１ａの対応を調整し、角度θａ傾斜させて出射口１１２の外周の導光フード１１０の側壁１１３上縁に設置すると、光源２０ａの発光Ｌ１ａが反射面３１ａに投射された反射光Ｌ２ａの方向は軸方向Ｌｃと平行になる。すなわち、異なる角度または位置の光源２０、２０ａはそれに応じた構造であるフレネル状構造３０、３０ａと対応させることによって、反射光Ｌ２、Ｌ２ａが同一の出射口１１２に向かい導光フード１１０から出て行き、最良の光発射効率を得ることができる。同様に、フレネル状構造３０、３０ａの構造が同じで、光源２０、２０ａの傾斜角度θ、θａが同じであるとき、軸方向Ｌｃと平行な反射光Ｌ２、Ｌ２ａとすることができる。
【００２０】
図７に示す実施例の反射原理をもとに、図８に示す構造を派生させることができる。導光フード２１０は底部２１１と出射口２１２を具え、軸方向Ｌｃを中心軸にフレネル状構造３０ｂ、３０ｃを設置する。本実施例の特徴として、フレネル状構造３０ｂ、３０ｃは曲面２１４、２１５上に形成し、且つ複数の反射面３１ｂ、３１ｃで構成したこぎり状を呈し、反射面３１ｂ、３１ｃの方向を対応させて、光源２０ｂ、２０ｃを異なる角度θｂ、θｃ傾斜させて出射口２１２外周の導光フード２１０の側壁２１３上縁に設置する。同様に、光源２０ｂ、２０ｃの発光Ｌ１ｂ、Ｌ１ｃがフレネル状構造３０ｂ、３０ｃの反射面３１ｂ、３１ｃに投射すると、軸方向Ｌｃと平行な反射光Ｌ２ｂ、Ｌ２ｃとすることができ、同一の出射口２１２に向かい導光フード３１０から出て行く。もちろん、フレネル状構造３０ｂ、３０ｃの構造が同じであり、曲面２１４、２１５のカーブが同じで、且つ光源２０ｂ、２０ｃの傾斜角度θｂ、θｃが同じ場合、軸方向Ｌｃと平行な反射光Ｌ２ｂ、Ｌ２ｃとすることができ、その原理は前述の各実施例と同様であるから詳述しない。
【００２１】
図９及び図１０に示すように、図７の導光フード１１０実施例から派生させた２種の異なる実施形態では、図９に示すように、導光フード１１０ａは立体的矩形を呈し、底部１１１ａと出射口１１２ａを具える。出射口１１２ａ外側に対称な両側壁１１３ａを設け、光源２０、２０ａは両側壁１１３ａの上縁に設置し、光源２０、２０ａはそれぞれ傾斜角度θ、θａで底部１１１ａに設置したフレネル状構造３０ｄ（図中に破線で示す）に対応させる。フレネル状構造３０ｄの構造は、必要に応じて図５から図８に示すフレネル状構造３０、３０ａ〜ｃのように設置してよく、光源２０、２０ａを設置する延伸方向Ａに平行に、平行線状に底部１１１ａに設置することができる。
【００２２】
図１０に示すように、導光フード１１０ｂは立体的円柱形（図は軸断面を示す）を呈し、底部１１１ｂと中心軸Ｌｃを取り巻く側壁１１３ｂを具える。取り巻く側壁１１３ｂの中央に出射口１１２ｂを形成し、同様に、光源２０を底部１１１ｂに設置したフレネル状構造（図中未表示）に対応させ、傾斜角度θで側壁１１３ｂの上縁に設置する。フレネル状構造の構造は必要に応じて図５から図８に示すフレネル状構造３０、３０ａ〜ｃのように設置してよく、中心軸Ｌｃをとりまき環状を呈するように底部１１１ｂに設置する。
【００２３】
上述の異なる実施例から分かるように、本発明の特徴は、フレネル状構造がどのような形態であっても、光源がフレネル状構造に対応した発光角度を具えていれば、所要の反射光方向を得ることができ、異なる位置の光源を同じ発光角度を具えるように調整するか、または異なる発光角度の光源に異なる反射面のフレネル状構造を対応させることによっても、単一方向、高効率且つ高直進性の平行光線とすることができる。
【００２４】
図１１及び図１２に示す異なる組合せの実施例では、図１１に示すように、図５と図８の構造を組合せ、導光フード３１０内に異なる構造のフレネル状構造３０、３０ｃを設置し、対応する光源２０、２０ｃを組合せると、同一出射口３１２に向って発射する反射光Ｌ２、Ｌ２ｃを形成することができる。図１２に示すように、導光フード４１０は多層側壁４１３を具え、異なる出射口４１２ａ〜４１２ｃを形成する。側壁４１３は異なる角度の光源２０ａ〜２０ｄを設置できるようにし、異なる構造のフレネル状構造３０ａ〜３０ｃまたは幾何曲面４０を対応させて、平行な反射光Ｌ２ａ〜Ｌ２ｄを得ることができ、単一の光束を形成して導光フード４１０から発射する。光源２０ａ〜２０ｄの発光方向を変え、異なる構造のフレネル状構造３０ａ〜３０ｃを対応させると、複数の異なる角度の反射光として導光フードから発射することができる。
【００２５】
ここで強調する必要があることは、上述の本発明の異なる好適な実施例の構造は、発明者が専門ソフトウェアによるシミュレーションで確実に実行可能であると実証したものである。Ｐｈｏｔｏｐｉａ、ＯｐｔｉＢＰＭ、ＯＳＬＯなど光学照明シミュレーション分析プログラムとソフトウェアが数多く市販されているが、なかでもＰｈｏｔｏｐｉａは照明器具設計に広く応用されている光度分析プログラムであり、操作者は実体原型に基づき模擬灯具を作ることができ、レンダリングによって多種の設計をテストでき、模型を作成する必要がなく、非映像光学設計の綜合機能評価を行うことができ、灯具の機能を評価することができる。図１３〜図１５に示すように、シミュレーション灯具からの距離６００ｍｍ、７００ｍｍ、８００ｍｍ三種の異なる距離における感光スクリーン（ｄｅｔｅｃｔｏｒ）照度分布図では、直径２９０ｍｍ、焦点距離１００ｍｍの放物面鏡を設定し、放物面鏡の曲率を切り取って等価の平板のこぎり歯型反射フードとし、軽量小型化を実現する。図面から分かるように、灯具の発光から６００ｍｍ〜８００ｍｍの距離の照度分布図は直径２５０ｍｍであり、このシミュレーションの結果から、光線が直進性発射光であることが予測できる。
【図面の簡単な説明】
【００２６】
【図１】公知の発光ダイオード照明装置または灯具の特許の構造略図である。
【図２】公知の発光ダイオード照明装置または灯具の特許の構造略図である。
【図３】公知の発光ダイオード照明装置または灯具の特許の構造略図である。
【図４】公知の発光ダイオード照明装置または灯具の特許の構造略図である。
【図５】本発明の第一の好適な実施例の構造略図である。
【図６】放物面鏡の反射光の集光の略図である。
【図７】本発明の第二の好適な実施例の構造略図である。
【図８】本発明の第三の好適な実施例の構造略図である。
【図９】本発明の異なる立体実施構造の略図である。
【図１０】本発明の異なる立体実施構造の略図である。
【図１１】本発明の第四の好適な実施例の構造略図である。
【図１２】本発明の第五の好適な実施例の構造略図である。
【図１３】シミュレーション灯具からの異なる距離における照度分布図である。
【図１４】シミュレーション灯具からの異なる距離における照度分布図である。
【図１５】シミュレーション灯具からの異なる距離における照度分布図である。
【符号の説明】
【００２７】
１０   導光フード
１１０ 導光フード
１１０ａ  導光フード
１１０ｂ  導光フード
２１０ 導光フード
３１０ 導光フード
４１０ 導光フード
１１   底部
１１１ 底部
１１１ａ  底部
１１１ｂ  底部
２１１ 底部
４１１ 底部
１２   出射口
１１２ 出射口
１１２ａ  出射口
１１２ｂ  出射口
２１２ 出射口
３１２ 出射口
４１２ａ  出射口
４１２ｂ  出射口
４１３ｃ  出射口
１３   側壁
１１３ 側壁
１１３ａ  側壁
１１３ｂ  側壁
２１３ 側壁
４１３ 側壁
２０   光源
２０ａ 光源
２０ｂ 光源
２０ｃ 光源
２０ｄ 光源
３０   フレネル状構造
３０ａ フレネル状構造
３０ｂ フレネル状構造
３０ｃ フレネル状構造
３０ｄ フレネル状構造
３１   反射面
３１ａ 反射面
３１ｂ 反射面
３１ｃ 反射面
２１４ 曲面
２１５ 曲面
４０   曲面
Ａ     延伸方向
Ｌｃ   軸方向
Ｌ１   発光
Ｌ１ａ 発光
Ｌ１ｂ 発光
Ｌ１ｃ 発光
Ｌ２   反射光
Ｌ２ａ 反射光
Ｌ２ｂ 反射光
Ｌ２ｃ 反射光
Ｌ２ｄ 反射光
θ     角度
θａ   角度
θｂ   角度
θｃ   角度
【図１】
2007250516.tif 000003
【図２】
2007250516.tif 000004
【図３】
2007250516.tif 000005
【図４】
2007250516.tif 000006
【図５】
2007250516.tif 000007
【図６】
2007250516.tif 000008
【図７】
2007250516.tif 000009
【図８】
2007250516.tif 000010
【図９】
2007250516.tif 000011
【図１０】
2007250516.tif 000012
【図１１】
2007250516.tif 000013
【図１２】
2007250516.tif 000014
【図１３】
2007250516.tif 000015
【図１４】
2007250516.tif 000016
【図１５】
2007250516.tif 000017